(57)【要約】【課題】三面に曲面を形成させた断面形状が四角形状の六面体の包装箱を提供すること。【解決手段】天面板（１１）の相対向する一方の二辺の端縁はそれぞれ縦方向の折り曲げ線を介して側面板（１２、１３）が連設され、もう一方の相対向する二辺の端縁はそれぞれ折り曲げ線を介して蓋面板（１１１）が連設されて閉鎖された六面体の包装箱において、天面板（１１）と二つの側面板（１２、１３）を連設している縦方向の折り曲げ線は、緩いＳ字状の曲線を描いて形成された曲がり折り曲げ線（ａ）である。【選択図】図１
2005008192.tif 000002
【特許請求の範囲】
【請求項１】
天面板の相対向する一方の二辺の端縁はそれぞれ縦方向の折り曲げ線を介して側面板が連設され、もう一方の相対向する二辺の端縁はそれぞれ折り曲げ線を介して蓋面板が連設されて閉鎖された六面体の包装箱において、前記天面板と二つの側面板を連設している縦方向の折り曲げ線は、緩いＳ字状の曲線を描いて形成されていることを特徴とする、曲面を有する包装箱。
【請求項２】
天面板の相対向する一方の二辺の端縁はそれぞれ緩いＳ字状の曲線を描いた曲がり折り曲げ線を介して左側面板と右側面板が連設され、前記左側面板の曲がり曲線を有していない方の端縁はそれぞれ縦方向の折り曲げ線を介して底面板、糊代片が順次連設され、前記左右の側面板の上下端には折り曲げ線を介して舌片がそれぞれ連設され、前記天面板の上下端には折り曲げ線を介して蓋面板と差し込み片が順次連設され、前記天面板と天面板の上下端に連設されたそれぞれの蓋面板と差し込み片には、天面板、蓋面板、差し込み片を等分する縦方向の山折線が形成され、前記底面板には底面板を等分する縦方向の山折線が形成され、
た構成からなるブランクを、
右側面板、天面板、左側面板、底面板、糊代片をそれぞれ折り曲げ線に沿って折り曲げ、糊代片の表面を右側面板の裏面に接合させ、断面が四角形状の筒状体を形成させ、該筒状体の上下端の開口部分を舌片、蓋面板、差し込み片でそれぞれ閉鎖したことを特徴とする、曲面を有する包装箱。
【発明の詳細な説明】
【０００１】
【発明の属する技術分野】
本発明は、食品又は非食品対象の曲面を有する包装箱に関するものである。
【０００２】
【従来の技術】
三面に曲面を形成させた断面形状が四角形状の六面体の包装箱は存在せず、従来、曲面的デザインを表現するために六面体の各面にグラフィック画像上での処理を施すことで曲面を再現していた。
そのため近くで熟視したり、手で触ったりすると、平面であることが判ってしまうことは避けられなかった。
【０００３】
【発明が解決しようとする課題】
本発明は、三面に曲面を形成させた断面形状が四角形状の六面体の包装箱を提供することを課題とする。
【０００４】
【課題を解決するための手段】
本発明の請求項１の発明は、天面板の相対向する一方の二辺の端縁はそれぞれ縦方向の折り曲げ線を介して側面板が連設され、もう一方の相対向する二辺の端縁はそれぞれ折り曲げ線を介して蓋面板が連設されて閉鎖された六面体の包装箱において、前記天面板と二つの側面板を連設している縦方向の折り曲げ線は、緩いＳ字状の曲線を描いて形成されていることを特徴とする、曲面を有する包装箱である。
【０００５】
このように請求項１記載の発明によれば、天面板と二つの側面板を連設している縦方向の折り曲げ線は、緩いＳ字状の曲線を描いて形成されているので、側面板を折り曲げ線に沿って折り曲げると天面板と天面板の左右に連設されている側面板の３面が湾曲した曲面を描く。
【０００６】
また、請求項２の発明は、天面板の相対向する一方の二辺の端縁はそれぞれ緩いＳ字状の曲線を描いた曲がり折り曲げ線を介して左側面板と右側面板が連設され、前記左側面板の曲がり曲線を有していない方の端縁はそれぞれ縦方向の折り曲げ線を介して底面板、糊代片が順次連設され、前記左右の側面板の上下端には折り曲げ線を介して舌片がそれぞれ連設され、前記天面板の上下端には折り曲げ線を介して蓋面板と差し込み片が順次連設され、前記天面板と天面板の上下端に連設されたそれぞれの蓋面板と差し込み片には、天面板、蓋面板、差し込み片を等分する縦方向の山折線が形成され、前記底面板には底面板を等分する縦方向の山折線が形成され、た構成からなるブランクを、右側面板、天面板、左側面板、底面板、糊代片をそれぞれ折り曲げ線に沿って折り曲げ、糊代片の表面を右側面板の裏面に接合させ、断面が四角形状の筒状体を形成させ、該筒状体の上下端の開口部分を舌片、蓋面板、差し込み片でそれぞれ閉鎖したことを特徴とする、曲面を有する包装箱である。
【０００７】
このように請求項２記載の発明によれば、本発明の曲面を有する包装箱は、天面板の相対向する一方の二辺の端縁はそれぞれ緩いＳ字状の曲線を描いた曲がり折り曲げ線を介して左側面板と右側面板が連設され、前記左側面板の曲がり曲線を有していない方の端縁はそれぞれ縦方向の折り曲げ線を介して底面板、糊代片が順次連設され、前記左右の側面板の上下端には折り曲げ線を介して舌片がそれぞれ連設され、前記天面板の上下端には折り曲げ線を介して蓋面板と差し込み片が順次連設され、前記天面板と天面板の上下端に連設されたそれぞれの蓋面板と差し込み片には、天面板、蓋面板、差し込み片を等分する縦方向の山折線が形成され、前記底面板には底面板を等分する縦方向の山折線が形成され、た構成からなるブランクを、右側面板、天面板、左側面板、底面板、糊代片をそれぞれ折り曲げ線に沿って折り曲げ、糊代片の表面を右側面板の裏面に接合させ、断面が四角形状の筒状体を形成させ、該筒状体の上下端の開口部分を舌片、蓋面板、差し込み片でそれぞれ閉鎖したものであるので、天面板とそれに連設する左右の側面板は曲面を形成して商品陳列等に際して大きな視覚的インパクトを与えることができる。
【０００８】
また、天面板、蓋面板、差し込み片を等分する縦方向の山折線が形成され、前記底面板には底面板を等分する縦方向の山折線が形成されているので、山折線で天面板、蓋面板、差し込み片や底面板を折り曲げて四角柱状の筒状体を折り畳むことができる。
【０００９】
【発明の実施の形態】
本発明の曲面を有する包装箱を一実施形態に基づいて以下に詳細に説明する。
図１は本発明の曲面を有する包装箱の一実施例を示す、展開説明図である。
【００１０】
天面板（１１）の相対向する一方の二辺の端縁はそれぞれ緩いＳ字状の曲線を描いた曲がり折り曲げ線（ａ）を介して左側面板（１２）と右側面板（１３）が連設されている。
左側面板（１２）の曲がり曲線を有していない方の端縁はそれぞれ縦方向の折り曲げ線（ｂ）を介して底面板（１４）、糊代片（１５）が順次連設されている。
【００１１】
左右の側面板（１２、１３）の上下端には折り曲げ線を介して舌片（１２１、１３１）がそれぞれ連設されている。
【００１２】
天面板（１１）の上下端には折り曲げ線を介して蓋面板（１１１）と差し込み片（１１２）が順次連設されている。
【００１３】
天面板（１１）と天面板の上下端に連設されたそれぞれの蓋面板（１１１、１１１）と差し込み片（１１２、１１２）には、天面板、蓋面板、差し込み片を等分する山折線（ｃ）が形成されている。
【００１４】
また、底面板（１４）には底面板を等分する山折線（ｃ）が形成されている。
【００１５】
つぎに、このような構成からなるブランク（１０）から、包装箱に組み立てる手順を述べる。
右側面板（１３）、天面板（１１）、左側面板（１２）、底面板（１４）、糊代片（１５）をそれぞれ折り曲げ線（ａ）、（ｂ）に沿って折り曲げる。
糊代片（１５）の表面を右側面板（１３）の裏面に接着剤等を使用して接合させ、断面が四角形状の筒状体を形成させる。
【００１６】
天面板（１１）、蓋面板（１１１）、差し込み片（１１２）、底面板（１４）には、それぞれ天面板（１１）、蓋面板（１１１）、差し込み片（１１２）、底面板（１４）を等分する山折線（ｃ）が形成されているので、山折線（ｃ）で天面板（１１）、蓋面板（１１１）、差し込み片（１１２）、底面板（１４）を折り曲げることにより四角柱状の筒状体を折り畳むことができ、従って、スリーブ状態にして輸送や保管をすることができ、これまでの包装箱と取扱上の遜色はない。
【００１７】
この筒状体の上下端の開口部分を舌片（１２１、１３１）、蓋面板（１１１）、差し込み片（１１２）でそれぞれ閉鎖して本発明の曲面を有する包装箱（２０）とする。
【００１８】
このように包装箱の天面板とそれに連設する左右の側面板が曲面を形成しているので、視覚的なインパクトを消費者等に与えることができる。
【００１９】
【発明の効果】
上記のように、本発明の曲面を有する包装箱は、３面が曲面構造を形成しているため、商品陳列の際に大きな視覚的インパクトを消費者に与えることができる。
また、構造上、強度があるため内容物に保護性が要求されるギフト商品などの包装箱として好適に使用できる。
【図面の簡単な説明】
【図１】本発明の曲面を有する包装箱に使用する組み立て前のブランクの一実施例を示す、展開説明図である。
【図２】図１のブランクを組み立て、本発明の曲面を有する包装箱の一実施例とした斜視説明図である。
【符号の説明】
１０‥‥ブランク
１１‥‥天面板
１２‥‥（左）側面板
１３‥‥（右）側面板
１４‥‥底面板
１５‥‥糊代片
１１１‥‥蓋面板
１１２‥‥差し込み片
１２１‥‥舌片
１３１‥‥舌片
２０‥‥曲面を有する包装箱
ａ‥‥曲がり折り曲げ線
ｂ‥‥縦方向の折り曲げ線
ｃ‥‥縦方向の山折線
【図１】
2005008192.tif 000003
【図２】
2005008192.tif 000004